【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
自己組織化ネットワーク（ＳＯＮ）をサポートするための方法であって、
ネットワークが、
イベントに関する測定結果のログ記録のためにユーザ機器（ＵＥ）を設定するメッセージングを前記ＵＥに送信することと、
イベントに関して収集されるべき情報と、収集された情報を報告するためのプロシージャとを指定するＳＯＮポリシーを前記ＵＥに送信することと、
前記ＳＯＮポリシーに基づいて前記ＵＥからログ記録された測定結果の報告を受信することと、ここで、前記ログ記録された測定結果は、イベントの時間、当該時間におけるネットワークロケーション、および、当該時間におけるチャネル情報を備える、
を備える方法。
【請求項２】
前記イベントが、ハードウェア障害、接続障害、無線リンク障害（ＲＬＦ）、ＵＥによって観測されたネットワークトポロジの変更、およびＵＥによって利用された通信リソースの変更のうちの１つまたは複数を含む、請求項１に記載の方法。
【請求項３】
前記メッセージングを前記ＵＥに送信することが、１以上のページングメッセージを送信することを含む、請求項１に記載の方法。
【請求項４】
前記受信することが、トンネリングを介して前記ＵＥから前記報告を受信することを含む、請求項１に記載の方法。
【請求項５】
前記ログ記録することが、前記ログ記録された測定をメモリに記憶することと、を備える、請求項１に記載の方法。
【請求項６】
ワイヤレス通信装置であって、
イベントに関する測定結果のログ記録のためにユーザ機器（ＵＥ）を設定するメッセージングを前記ＵＥに送信し、イベントに関して収集されるべき情報と、収集された情報を報告するためのプロシージャとを指定する自己組織化ネットワーク（ＳＯＮ）ポリシーを前記ＵＥに送信し、前記ＳＯＮポリシーに基づいて前記ＵＥからログ記録された測定結果の報告を受信するように構成された少なくとも１つのプロセッサと、ここで、前記ログ記録された測定結果は、イベントの時間、当該時間におけるネットワークロケーション、および、当該時間におけるチャネル情報を備える、
前記少なくとも１つのプロセッサに接続されたメモリと、
を備えるワイヤレス通信装置。
【請求項７】
前記イベントが、ハードウェア障害、接続障害、無線リンク障害（ＲＬＦ）、観測されたネットワークトポロジの変更、および利用された通信リソースの変更のうちの１つまたは複数を含む、請求項６に記載のワイヤレス通信装置。
【請求項８】
前記メッセージングを前記ＵＥに送信することが、ページングメッセージを前記ＵＥへ送信することを含む、請求項７に記載のワイヤレス通信装置。
【請求項９】
前記受信することが、トンネリングを介して前記ＵＥから前記報告を受信することを含む、請求項７に記載のワイヤレス通信装置。
【請求項１０】
前記ログ記録することが、前記ログ記録された測定をメモリに記憶することを含む、請求項７に記載のワイヤレス通信装置。
【請求項１１】
ネットワーク管理および最適化を可能にする装置であって、
イベントに関する測定結果のログ記録のためにユーザ機器（ＵＥ）を設定するメッセージングを前記ＵＥに送信するための手段と、
イベントに関して収集されるべき情報と、収集された情報を報告するためのプロシージャとを指定する自己組織化ネットワーク（ＳＯＮ）ポリシーを前記ＵＥに送信するための手段と、
前記ＳＯＮポリシーに基づいて前記ＵＥからログ記録された測定の報告結果を受信するための手段と、ここで、前記ログ記録された測定結果は、イベントの時間、当該時間におけるネットワークロケーション、および、当該時間におけるチャネル情報を備える、
を備える装置。
【請求項１２】
ネットワークが、イベントに関する測定結果のログ記録のためにユーザ機器（ＵＥ）を設定するメッセージングを前記ＵＥに送信するためのコードと、
前記ネットワークが、イベントに関して収集されるべき情報と、収集された情報を報告するためのプロシージャとを指定する自己組織化ネットワーク（ＳＯＮ）ポリシーを前記ＵＥに送信するためのコードと、
前記ネットワークが、前記ＳＯＮポリシーに基づいて前記ＵＥからログ記録された測定結果の報告を受信するためのコードと、ここで、前記ログ記録された測定結果は、イベントの時間、当該時間におけるネットワークロケーション、および、当該時間におけるチャネル情報を備える、
を備えるコンピュータ可読記憶媒体。
【請求項１３】
自己組織化ネットワーク（ＳＯＮ）をサポートするためのコンピュータ実行可能命令を実行する集積回路であって、前記命令が、
ネットワークが、イベントに関する測定結果のログ記録のためにユーザ機器（ＵＥ）を設定するメッセージングを前記ＵＥに送信することと、
前記ネットワークが、イベントに関して収集されるべき情報と、収集された情報を報告するためのプロシージャとを指定するＳＯＮポリシーを前記ＵＥに送信することと、
前記ネットワークが、前記ＳＯＮポリシーに基づいて前記ＵＥからログ記録された測定結果の報告を受信することと、ここで、前記ログ記録された測定結果は、イベントの時間、当該時間におけるネットワークロケーション、および、当該時間におけるチャネル情報を備える、
を備える集積回路。
【請求項１４】
ユーザ機器（ＵＥ）によってイベントをログ記録し、報告するための方法であって、
前記ＵＥが、イベントに関する測定結果のログ記録のために前記ＵＥを設定するメッセージングをネットワークから受信することと、
前記ＵＥが、１以上の測定を実行することと、ここで、前記１以上の測定を実行することは、イベントの時間、当該時間におけるネットワークロケーション、および、当該時間におけるチャネル情報を決定することを備える、
前記ＵＥが、前記設定に基づいて前記１以上の測定のうちの少なくとも１つをログ記録することと、
前記ＵＥが、イベントに関して収集されるべき情報と、収集された情報を報告するためのプロシージャとを指定する自己組織化ネットワーク（ＳＯＮ）ポリシーを前記ネットワークから受信することと、
前記ＵＥが、前記ＳＯＮポリシーに基づいて、前記ログ記録された測定結果を前記ネットワークに報告することと
を備える方法。
【請求項１５】
前記イベントが、ハードウェア障害、接続障害、無線リンク障害（ＲＬＦ）、観測されたネットワークトポロジの変更、および利用された通信リソースの変更のうちの１つまたは複数を含む、請求項１４に記載の方法。
【請求項１６】
前記メッセージングを受信することが、前記ネットワークからの１つまたは複数のページングメッセージを受信することを備える、請求項１４に記載の方法。
【請求項１７】
前記ログ記録することが、前記ログ記録された測定をメモリに記憶することを備える、請求項１４に記載の方法。
【請求項１８】
前記報告することが、前記１つまたは複数の測定をサーバにトンネリングすることをさらに備える、請求項１７に記載の方法。
【請求項１９】
イベントをログ記録し、報告するためのワイヤレス通信装置であって、
１以上の測定を実行するために、イベントに関する測定結果のログ記録のために前記装置を設定するメッセージングをネットワークから受信し、前記設定に基づいて前記１以上の測定のうちの少なくとも１つをログ記録し、前記ＵＥが、イベントに関して収集されるべき情報と、収集された情報を報告するためのプロシージャとを指定する自己組織化ネットワーク（ＳＯＮ）ポリシーを前記ネットワークから受信し、前記ＳＯＮポリシーに基づいて前記ネットワークに前記ログ記録された測定結果を報告するように構成された少なくとも１つのプロセッサと、ここで、前記１以上の測定を実行することは、イベントの時間、当該時間におけるネットワークロケーション、および、当該時間におけるチャネル情報を決定することを備える、
前記少なくとも１つのプロセッサに接続されたメモリと、
を備えるワイヤレス通信装置。
【請求項２０】
前記イベントが、ハードウェア障害、接続障害、無線リンク障害（ＲＬＦ）、観測されたネットワークトポロジの変更、および利用された通信リソースの変更のうちの１つを含む、請求項１９に記載の装置。
【請求項２１】
前記メッセージングを受信することが、前記ネットワークから１以上のページングメッセージを受信することを含む、請求項１９に記載の装置。
【請求項２２】
前記ログ記録することが、前記ログ記録された測定をメモリに記憶することを含む、請求項１９に記載の装置。
【請求項２３】
イベントをログ記録し、報告するための装置であって、
イベントに関する測定結果のログ記録のために前記装置を設定するメッセージングをネットワークから受信するための手段と、
１以上の測定を実行するための手段と、ここで、前記１以上の測定を実行するための手段は、イベントの時間、当該時間におけるネットワークロケーション、および、当該時間におけるチャネル情報を決定することを備える、
イベントに関して収集されるべき情報と、収集された情報を報告するためのプロシージャとを指定する自己組織化ネットワーク（ＳＯＮ）ポリシーをネットワークから受信するための手段と、
前記設定に基づいて、前記１以上の測定のうちの少なくとも１つをログ記録するための手段と、
前記ＳＯＮポリシーに基づいて、前記ログ記録された測定結果を前記ネットワークに報告するための手段と
を備える装置。
【請求項２４】
ユーザ機器（ＵＥ）が、イベントに関する測定結果のログ記録のために前記ＵＥを設定するメッセージングをネットワークから受信するためのコードと、
前記ＵＥが、１以上の測定を実行するためのコードと、ここで、前記１以上の測定を実行することは、イベントの時間、当該時間におけるネットワークロケーション、および、当該時間におけるチャネル情報を決定することを備える、
前記ＵＥが、前記設定に基づいて前記１以上の測定のうちの少なくとも１つをログ記録するためのコードと、
前記ＵＥが、イベントに関して収集されるべき情報と、収集された情報を報告するためのプロシージャとを指定する自己組織化ネットワーク（ＳＯＮ）ポリシーを前記ネットワークから受信するためのコードと、
前記ＵＥが、前記ＳＯＮポリシーに基づいて、前記ログ記録された測定結果を前記ネットワークに報告するためのコードと
を備えるコンピュータ可読記憶媒体。
【請求項２５】
通信ネットワークにおけるイベントをログ記録し、報告するためのコンピュータ実行可能命令を実行する集積回路であって、前記命令が、
ユーザ機器（ＵＥ）が、イベントに関する測定結果のログ記録のために前記ＵＥを設定するメッセージングをネットワークから受信することと、
前記ＵＥが、１以上の測定を実行することと、ここで、前記１以上の測定を実行することは、イベントの時間、当該時間におけるネットワークロケーション、および、当該時間におけるチャネル情報を決定することを備える、
前記ＵＥが、前記設定に基づいて前記１以上の測定のうちの少なくとも１つをログ記録することと、
前記ＵＥが、イベントに関して収集されるべき情報と、収集された情報を報告するためのプロシージャとを指定する自己組織化ネットワーク（ＳＯＮ）ポリシーを前記ネットワークから受信することと、
前記ＵＥが、前記ＳＯＮポリシーに基づいて、前記ログ記録された測定を前記ネットワークに報告することとを備える
集積回路。